(57)【特許請求の範囲】
【請求項１】
脚柱の中間部付近に横架材を突設して建枠部材を形成し、該建枠部材を一対対向させ、対向する横架材間には横架材と略同径の軸体の両端を横架材の内径より若干小径として横架材嵌入用の細径部を形成して成る連結材を備え、該連結材の両端細径部の先端には長孔を設けたスライド部材をそれぞれ回動自在に軸着し、各スライド部材の長孔にスライド自在に挿通させたスライドピンに前記横架材をそれぞれ固着して、各横架材をスライド部材の長孔に沿ってスライド自在に、かつ連結材の両端を中心に回動自在に連結して建枠を折り畳み可能に形成すると共に、該建枠拡開時に建枠形状をＨ形状に保持する回動規制手段を備えたことを特徴とする枠組足場用Ｈ型建枠。
【発明の詳細な説明】
【０００１】
【産業上の利用分野】
本発明は、仮設用の枠組足場として用いられるＨ形状の建枠に関し、特に折り畳みが可能なＨ型建枠に関する。
【０００２】
【従来の技術】
仮設用の枠組足場としては門型をした建枠がよく知られているが、最近、脚柱の中間部付近に横架材を掛け渡してＨ形状とした枠組足場用Ｈ型建枠も採用されつつある。このＨ型建枠は、組み上げ時に、隣接して立設した建枠間の中央の横架材に足場板を掛け渡し、そして足場板を境とした上下位置に筋交や手摺をそれぞれ掛け渡すことができるようにしたもので、これによって足場の組み上げ、解体作業時に、足場板上にいる作業員の落下防止を図る安全手摺を常に確保できるという利点を有するものである。
【０００３】
【発明が解決しようとする課題】
しかしながら、地下部の工事現場等でマンホール等の狭い開口部より建枠を搬入しなければならないような場合に、門型の建枠であれば、先ず一方の脚柱をマンホールに挿入し、次いで回転させるようにして門型上部の横架材をマンホールに挿入してその狭口部を通過させ、最後に他方の脚柱を同様にして挿入通過させて地下部の工事現場に建枠を搬入することができるのであるが、これに対して、脚柱の中間部付近に横架材があるＨ型建枠では、一方の脚柱をマンホールに挿入して回転させるようにしても横架材を境にしてまだ上方に脚柱部が突出しているため、横架材の部分を門型の建枠のようにはマンホール内に挿入させることができず、安全上好ましいという利点を備えているにもかかわらずマンホール等の狭口部からの搬入が難しいという欠点を有している。
【０００４】
本発明は上記の点に鑑み、Ｈ型建枠を折り畳み自在としてマンホール等の狭い開口部よりの搬入も可能とすることを目的とする。
【０００５】
【課題を解決するための手段】
本発明は上記の目的を達成するために、脚柱の中間部付近に横架材を突設して建枠部材を形成し、該建枠部材を一対対向させ、対向する横架材間には横架材と略同径の軸体の両端を横架材の内径より若干小径として横架材嵌入用の細径部を形成して成る連結材を備え、該連結材の両端細径部の先端には長孔を設けたスライド部材をそれぞれ回動自在に軸着し、各スライド部材の長孔にスライド自在に挿通させたスライドピンに前記横架材をそれぞれ固着して、各横架材をスライド部材の長孔に沿ってスライド自在に、かつ連結材の両端を中心に回動自在に連結して建枠を折り畳み可能に形成すると共に、該建枠拡開時に建枠形状をＨ形状に保持する回動規制手段を備えたことを特徴としている。
【０００６】
【作用】
本発明の枠組足場用Ｈ型建枠によれば、狭口からの搬入を行なう場合、横架材の回動規制手段を解除して脚柱を左右に開くようにして横架材をスライドさせた後、横架材の連結部を回動させ、横架材から建枠を折り畳んで脚柱部を重ね合わせると建枠を細長い状態にすることができ、マンホール等の狭口からの搬入、搬出を容易に行える。
【０００７】
【実施例】
以下、本発明の実施例を図面に基づいて説明する。
【０００８】
１は鋼管製の枠組足場用Ｈ型建枠を示すもので、脚柱２の中間部付近には横架材３を脚柱２に対して直角方向に突設し、該横架材３の中間部付近にはスライドピン４を挿入するスライドピン用透孔５を脚柱２の軸線方向に穿設すると共に、先端部には回動規制用ピン６を挿入する回動規制用透孔７を脚柱２の軸線方向に対して直交する方向に穿設している。また、横架材３と脚柱２との間には略く字形状をしたの補強材８を固着して脚柱２及び横架材３を補強すると共に、脚柱２の上部から下部にかけては所定の間隔で筋交又は手摺を取り付けるブレースピン９を固着している。
【０００９】
そして、左右に対向させた一対の前記脚柱２の横架材３の間には連結材１０を配設している。該連結材１０は図２に示すように、軸体１１を段付き状に形成し、その中央部は横架材３の外径とほぼ等しい太径とし、左右の細径部は横架材３の内径より若干小径にしている。この軸体１１の太径部の両端部には横架材３の端部を収納するカラー１２を固着し、また、軸体１１の両端部には脚柱２の軸線方向に対して直交する方向に切り欠いた切欠き部１３を設けている。該切欠き部１３には切り欠き方向に直交する方向、即ち、脚柱２の軸線方向に連結用のロールピン１４を挿入するロールピン用透孔１５を穿設している。また、細径部の段付き部寄りの位置には回動規制用ピン６を挿入する回動規制用透孔１６を横架材３の回動規制用透孔７と合致するように穿設している。
【００１０】
１７は所定長さに切断したフラットバーより成るスライド部材であって、一端部に連結用の透孔１８を、他端部側にはスライド用の長孔１９を穿設し、前記透孔１８側の一端部は軸体１１両端部の切欠き部１３に挿入し、切欠き部１３のロールピン用透孔１５と前記スライド部材１７の透孔１８とを挿通状に一致させ、ロールピン１４を貫通させて軸体１１とスライド部材１７とを連結する。この時、スライド部材１７側の透孔１８の内径はロールピン１４の外径よりやや大きくしているためスライド部材１７はロールピン１４を中心に回動自在となっている。
【００１１】
一方、スライド部材１７の他端部を横架材３の端部より挿入すると共に、横架材３の中間部付近に穿設したスライドピン用透孔５よりスライドピン４を上方より挿入し、横架材３に挿入したスライド部材１７の長孔１９を貫通させて対向側のスライドピン用透孔５より先端部を突出させる。この突出部に抜け止め用のピン２０を取り付けてスライドピン４の抜け止めを施す。
【００１２】
このようにして横架材３はスライド部材１７の長孔１９に沿ってスライドし、連結材１０の細径部を横架材３に対して出没自在とすると共に、連結材１０の細径部を横架材３から引き出した時点でスライド部材１７の一端部を連結している連結材１０の切欠き部１３のロールピン１４を中心にして回動自在となり、横架材３を固着している脚柱２を連結材１０に対して折り畳むことができるようにしている。
【００１３】
また、連結材１０の細径部を横架材３に没入させた時点で、横架材３の回動規制用透孔７、及び連結材１０の回動規制用透孔１６に回動規制用ピン６を挿入して両者を固定するようにしているが、この回動規制用ピン６の一端部には抜止め用レバー２１を回動自在に取り付け、他端部は折り曲げて抜け止め部２２を形成し、該抜け止め部２２にはチェーン２３を取り付けると共に、その先端部を連結材１０のカラー１２の下部に取り付けている。
【００１４】
しかして、本発明の枠組足場用Ｈ型建枠１をマンホール等の狭口部より搬入して地下部の工事現場で使用する場合、先ず連結材１０と横架材３とを連結している回動規制用ピン６の抜止め用レバー２１を回動させて横架材３の回動規制用透孔７及び連結材１０の回動規制用透孔１６より引き抜く。
【００１５】
すると、横架材３と連結材１０との係止が解除されて離脱自在となり、次に脚柱２を左右に開くようにすると横架材３が連結材１０の軸体１１に対してスライドして連結材１０の端部が横架材３より露出する。連結材１０の端部には一端部を横架材３にスライド自在に取り付けたスライド部材１７の他端部が回動自在にロールピン１４により軸着されており、このロールピン１４を中心にして横架材３と共に左右の脚柱２を折り畳み、脚柱２同志を重ね合わせるようにする。
【００１６】
このようにすることにより、図３に示すように幅広の建枠を細長い形状に変形することができ、従来難しかったマンホール等の狭口部からの搬入を容易に行なうことができるのである。
【００１７】
こうして細長い形状に変形して狭口部より地下の工事現場に搬入し、足場として使用する時には、折り畳んだ手順と逆の手順で、先ず、脚柱２を左右に拡開する。次いで左右の脚柱２を中央部に引き寄せて横架材３を連結材１０に対してスライドさせ、連結材１０の細径部を横架材３内に没入させ、横架材３の端部を連結材１０のカラー１２内に収納する。そして横架材３の回動規制用透孔７及び連結材１０の回動規制用透孔１６に回動規制用ピン６を挿入して横架材３が連結材１０に対して回動するのを規制してＨ型建枠１を形成して枠組足場として使用する。
【００１８】
【発明の効果】
以上のように本発明に係る枠組足場用Ｈ型建枠にあっては、脚柱２の中間部付近に横架材３を突設して建枠部材を形成し、該建枠部材を一対対向させ、対向する横架材３間には横架材３と略同径の軸体１１の両端を横架材３の内径より若干小径として横架材３嵌入用の細径部を形成して成る連結材１０を備え、該連結材１０の両端細径部の先端には長孔１９を設けたスライド部材１７をそれぞれ回動自在に軸着し、各スライド部材１７の長孔１９にスライド自在に挿通させたスライドピン４に前記横架材３をそれぞれ固着して、各横架材３をスライド部材１７の長孔１９に沿ってスライド自在に、かつ連結材１０の両端を中心に回動自在に連結して建枠１を折り畳み可能に形成すると共に、該建枠１拡開時に建枠１形状をＨ形状に保持する回動規制手段６、７、１６を備えたので、マンホール等の狭口部からの搬入をも容易に行なうことができ、安全上有用な本Ｈ型建枠の利用可能な範囲を拡大することができる。
【図面の簡単な説明】
【図１】本発明の枠組足場用Ｈ型建枠の正面図である。
【図２】要部の部品構成を示す説明図である。
【図３】本発明の枠組足場用Ｈ型建枠を折り畳んだ状態を示す説明図である。
【符号の説明】
１…Ｈ型建枠                        ２…脚柱
３…横架材                          ６…回動規制用ピン（回動規制手段）
７…回動規制用透孔（回動規制手段）１０…連結材
１６…回動規制用透孔（回動規制手段）１７…スライド部材
【図１】
0003646174.tif 000002
【図２】
0003646174.tif 000003
【図３】
0003646174.tif 000004